(57)【要約】【課題】特定した被検者の検査ヒストリーを容易に把握することができ、所望とする検査日での検査結果を容易に取得することができるようにする。【解決手段】検索画面（図４）の検査情報リスト４５で表示される検査情報４６のうちのいずれかの検査情報が選択され、ヒストリーブラウザ６０の表示が指定されると、この選択された検査情報４６が関係する被検者の検査履歴を示すヒストリーブラウザ６０が表示される。このヒストリーブラウザ６０では、検査日順に検査情報６２が配列されてなる検査情報リスト６１が表示され、検索画面４０（図４）で選択された検査情報４６での検査日を基準検査日として、この基準検査日の検査情報６２が月型マーク５３が付されて表示される。【選択図】図７（ａ）
2010233882.tif 000002
【特許請求の範囲】
【請求項１】
モダリティの検査結果である医療画像情報などからなる医療情報の表示方法であって、
該医療情報をもとに作成された被検者情報や使用したモダリティ，検査日などからなるスタディのリストを表示した検索画面で、該スタディのリストから所定のスタディを選択する操作により、選択された該スタディでの被検者の該医療画像情報による医療画像を表示する画像表示画面を表示し、
該画像表示画面でヒストリーブラウザの表示を要求する操作により、該画像表示画面に重ねて、該検索画面で選択された該スタディでの被検者のスタディのリストを表わすヒストリーブラウザを表示する
ことを特徴とする医療情報の表示方法。
【請求項２】
請求項１において、
前記検索画面で、前記スタディのリストから所定のスタディが選択された状態で、前記画像表示画面の表示を要求する操作により、前記画像表示画面を表示することを特徴とする医療情報の表示方法。
【請求項３】
請求項１において、
前記検索画面で、前記スタディのリストから所定のスタディが選択された状態で、前記ヒストリーブラウザの表示を要求する操作により、前記画像表示画面に重ねて前記ヒストリーブラウザを表示することを特徴とする医療情報の表示方法。
【請求項４】
請求項１において、
前記検索画面で、前記スタディのリストから所定のスタディが選択された状態で、前記画像表示画面と前記ヒストリーブラウザとの同時表示を要求する操作をすることにより、前記画像表示画面と前記ヒストリーブラウザとを同時に表示する
ことを特徴とする医療情報の表示方法。
【請求項５】
請求項１〜４のいずれか１つにおいて、
前記ヒストリーブラウザは、
前記検索画面で選択された該スタディでの被検者のスタディのリストを表示する第１の表示エリアと、
該第１の表示エリアでの該スタディリストで選択されたスタディの検査情報のリストを表示する第２の表示エリアと、
該第２の表示エリアでの該検査情報のリストで選択された検査情報の医療画像を表示する第３の表示エリアと
を備えたことを特徴とする医療情報の表示方法。
【請求項６】
請求項５において、
前記第１の表示エリアでは、前記被検者のスタディのリストにおいて、
前記検索画面での前記スタディのリストで選択された前記スタディが基準日のスタディとして、該基準日を示すマークが付されて表示され、
該基準日のスタディよりも検査日が前の前記スタディが、該基準日のスタディの一方側に検査の時系列に配列して表示され、
該基準日のスタディよりも検査日が後の前記スタディが、該基準日のスタディの他方側に検査の時系列に配列して表示されている
を備えたことを特徴とする医療情報の表示方法。
【請求項７】
画像サーバからモダリティの検査結果である医療画像情報などからなる医療情報を取得し、該医療情報に関する画面を表示する表示部を備えた医療情報の表示装置であって、
該画像サーバから該医療情報を取得して保存する記録部と、
入力操作部と、
該入力操作部の操作により、該記録部から該操作に応じた該医療情報を読み出し、該表示部で表示可能な医療情報表示用画面に処理する制御部と、
該医療情報表示用画面を保持して該表示部に表示させる表示メモリ部と
を備え、
該表示部で表示される該医療情報表示用画面は、
該記録部に保存されている該医療情報をもとに作成された被検者情報や検査に使用したモダリティ，検査日などからなるスタディのリストを表示するログイン画面としての検索画面と、
該検索画面の該スタディのリストから所望のスタディが選択された状態で、該入力操作部の操作により、選択された該スタディでの被検者の該医療画像情報による医療画像を表示する画像表示画面と、
該入力操作部の操作による該検索画面もしくは該画像表示画面での要求に応じて該画像表示画面に重なって表示されるヒストリーブラウザと
であって、
該ヒストリーブラウザは、該検索画面で選択された該スタディでの被検者のスタディのリストを表示することを特徴とする医療情報の表示装置。
【請求項８】
請求項７において、
前記検索画面で、前記スタディのリストから所定のスタディが選択された状態で、前記画像表示画面の表示を要求する前記入力操作部の操作により、前記画像表示画面が表示されることを特徴とする医療情報の表示装置。
【請求項９】
請求項７において、
前記検索画面で、前記スタディのリストから所定のスタディが選択された状態で、前記ヒストリーブラウザの表示を要求する前記入力操作部の操作により、前記画像表示画面に重ねて前記ヒストリーラブラウザが表示されることを特徴とする医療情報の表示装置。
【請求項１０】
請求項７において、
前記検索画面で、前記スタディのリストから所定のスタディが選択された状態で、前記画像表示画面と前記ヒストリーブラウザとの同時表示を要求する前記入力操作部の操作により、前記画像表示画面と前記ヒストリーブラウザとが同時に表示されることを特徴とする医療情報の表示装置。
【請求項１１】
請求項７〜１０のいずれか１つにおいて、
前記ヒストリーブラウザは、
前記検索画面で選択された前記スタディでの被検者のスタディのリストを表示する第１の表示エリアと、
該第１の表示エリアでの該スタディリストで選択されたスタディの検査情報のリストを表示する第２の表示エリアと、
該第２の表示エリアでの該検査情報のリストで選択された検査情報の医療画像を表示する第３の表示エリアと
を備えたことを特徴とする医療情報の表示装置。
【請求項１２】
請求項１１において、
前記第１の表示エリアでは、前記被検者のスタディのリストにおいて、
前記検索画面での前記スタディのリストで選択された前記スタディが基準日のスタディとして、該基準日を示すマークが付されて表示され、
該基準日のスタディよりも検査日が前の前記スタディが、該基準日のスタディの一方側に検査の時系列に配列して表示され、
該基準日のスタディよりも検査日が後の前記スタディが、該基準日のスタディの他方側に検査の時系列に配列して表示されている
ことを特徴とする医療情報の表示装置。
【発明の詳細な説明】
【技術分野】
【０００１】
本発明は、Ｘ線撮影装置やＣＴ，ＭＲＩなどのモダリティ（医療画像診断装置）で得られた医療画像などの医療情報の表示方法及び装置に係り、特に、読影医師が読影（医療画像を観察して診察すること）のために閲覧可能とする医療情報の表示方法及び装置に関する。
【背景技術】
【０００２】
病院や診療所などの医療機関では、読影医師が患者や検診者（以下、これらを被検者という）の検査によって得られた医療画像を読影するための医療検査システムが設けられている。かかる医療検査システムでは、モダリティの検査技師の操作により、モダリティで生成された被検者の所定部位の医療画像が、画像サーバに保管される。この医療画像は読影医師の要求に応じて画像サーバから読み出され、画像読影端末で表示されて読影医師によって読影される。
【０００３】
検査結果としてのこのような医療画像を表示する方法としては、従来、同じ部位の検査をするのに、Ｘ線撮影装置などの複数のモダリティを用いて同時に複数の検査が行なわれるものであるが、このように同時に使用されたモダリティから得られた医療画像を同時に表示するようにした技術が提案されている（例えば、特許文献１参照）。
【０００４】
この特許文献１に記載の技術は、各モダリティ毎に、それによる検査時間を同じ時間軸上でグラフで表示するとともに、かかる検査中になされたイベント（被検者に対して実施された処置項目）をそれがなされた時刻に該当する位置に表示し、所望のイベントを指定することにより、この指定されたイベントがなされたときに検査が行われているモダリティからの医療画像を表示するものである。
【先行技術文献】
【特許文献】
【０００５】
【特許文献１】特開２００８−３０１９８４号公報
【発明の概要】
【発明が解決しようとする課題】
【０００６】
ところで、上記特許文献１に記載の技術によると、イベントをもとにした同時になされた検査項目の医療画像を同時に閲覧することができるが、特定した被検者の検査の経歴（ヒストリー）を知るためには、非常な手間と時間とが掛かるものである。上記特許文献１に記載の技術では、上記のように、同じ時間軸上で各モダリティが使用された時間がグラフで表示されているものであるから、一応被検者の検査ヒストリーを読み取ることができるものであるが、所定の期間毎に検査を受けるような被検者の検査ヒストリーを閲覧するためには、掛かるグラフやイベントが表示されている画面を大きくスクロールさせることが必要な場合もあり、手間と時間が掛かるものであり、しかも、全体的な検査ヒストリーを把握することは困難である。
【０００７】
本発明の目的は、かかる問題を解消し、特定した被検者の検査ヒストリーを容易に把握することができ、所望とする検査日での検査結果を容易に取得することができるようにした医療情報の表示方法及び装置を提供することにある。
【課題を解決するための手段】
【０００８】
上記目的を達成するために、本発明は、モダリティの検査結果である医療画像情報などからなる医療情報の表示方法であって、医療情報をもとに作成された被検者情報や使用したモダリティ，検査日などからなるスタディのリストを表示した検索画面で、スタディのリストから所定のスタディを選択する操作により、選択されたスタディでの被検者の医療画像情報による医療画像を表示する画像表示画面を表示し、画像表示画面でヒストリーブラウザの表示を要求する操作により、画像表示画面に重ねて、検索画面で選択されたスタディでの被検者のスタディのリストを表わすヒストリーブラウザを表示することを特徴とする。
【０００９】
また、本発明は、上記検索画面で、スタディのリストから所定のスタディが選択された状態で、画像表示画面の表示を要求する操作により、画像表示画面を表示することを特徴とする。
【００１０】
また、上記検索画面で、スタディのリストから所定のスタディが選択された状態で、ヒストリーブラウザの表示を要求する操作により、画像表示画面に重ねてヒストリーラブラウザを表示することを特徴とする。
【００１１】
また、本発明は、上記検索画面で、スタディのリストから所定のスタディが選択された状態で、画像表示画面とヒストリーブラウザとの同時表示を要求する操作をすることにより、画像表示画面とヒストリーブラウザとを同時に表示することを特徴とする。
【００１２】
また、上記ヒストリーブラウザが、検索画面で選択されたスタディでの被検者のスタディのリストを表示する第１の表示エリアと、第１の表示エリアでのスタディリストで選択されたスタディのシリーズのリストを表示する第２の表示エリアと、第２の表示エリアでのシリーズのリストで選択された検査情報の医療画像を表示する第３の表示エリアとを備えたことを特徴とする。
【００１３】
また、本発明は、上記第１の表示エリアでは、被検者のスタディのリストにおいて、検索画面でのスタディのリストで選択されたスタディが基準日のスタディとして、基準日を示すマークが付されて表示され、基準日のスタディよりも検査日が前のスタディが、基準日のスタディの一方側に検査の時系列に配列して表示され、基準日のスタディよりも検査日が後のスタディが、基準日のスタディの他方側に検査の時系列に配列して表示されているを備えたことを特徴とする。
【００１４】
上記目的を達成するために、本発明は、画像サーバからモダリティの検査結果である医療画像情報などからなる医療情報を取得し、医療情報に関する画面を表示する表示部を備えた医療情報の表示装置であって、画像サーバから医療情報を取得して保存する記録部と、入力操作部と、入力操作部の操作ににより、記録部から操作に応じた医療情報を読み出し、表示部で表示可能な医療情報表示用画面に処理する制御部と、医療情報表示用画面を保持して表示部に表示させる表示メモリ部とを備え、表示部で表示される医療情報表示用画面は、記録部に保存されている医療情報をもとに作成された被検者情報や検査に使用したモダリティ，検査日などからなるスタディのリストを表示するログイン画面としての検索画面と、検索画面のスタディのリストから所望のスタディが選択された状態で、入力操作部の操作により、選択されたスタディでの被検者の医療画像情報による医療画像を表示する画像表示画面と、入力操作部の操作による検索画面もしくは画像表示画面での要求に応じて画像表示画面に重なって表示されるヒストリーブラウザとであって、ヒストリーブラウザが、検索画面で選択されたスタディでの被検者のスタディのリストを表示することを特徴とする。
【００１５】
また、本発明は、上記検索画面で、スタディのリストから所定のスタディが選択された状態で、画像表示画面の表示を要求する入力操作部の操作により、画像表示画面が表示されることを特徴とする。
【００１６】
また、本発明は、上記検索画面で、スタディのリストから所定のスタディが選択された状態で、ヒストリーブラウザの表示を要求する入力操作部の操作により、画像表示画面に重ねてヒストリーラブラウザが表示されることを特徴とする。
【００１７】
また、本発明は、上記検索画面で、スタディのリストから所定のスタディが選択された状態で、画像表示画面とヒストリーブラウザとの同時表示を要求する入力操作部の操作により、画像表示画面とヒストリーブラウザとが同時に表示されることを特徴とする。
【００１８】
また、本発明は、上記ヒストリーブラウザが、検索画面で選択されたスタディでの被検者のスタディのリストを表示する第１の表示エリアと、第１の表示エリアでのスタディリストで選択されたスタディの検査情報のリストを表示する第２の表示エリアと、第２の表示エリアでの検査情報のリストで選択された検査情報の医療画像を表示する第３の表示エリアとを備えたことを特徴とする。
【００１９】
また、本発明は、上記第１の表示エリアでは、被検者のスタディのリストにおいて、検索画面でのスタディのリストで選択されたスタディが基準日のスタディとして、基準日を示すマークが付されて表示され、基準日のスタディよりも検査日が前のスタディが、基準日のスタディの一方側に、検査の時系列に配列して表示され、基準日のスタディよりも検査日が後のスタディが、基準日のスタディの他方側に、検査の時系列に配列して表示されていることを特徴とするものである。
【発明の効果】
【００２０】
本発明によると、特定した被検者について、画像表示画面ばかりでなく、ヒストリーブラウザも表示させることができるから、特定した被検者の指定した検査日での検査結果やその前後の検査日での検査結果を閲覧することができるばかりでなく、この被検者の特定した検査日を中心とする検査の履歴を容易に把握することが可能となる。
【図面の簡単な説明】
【００２１】
【図１】本発明による医療情報の表示方法及び装置の一実施形態を示すシステム構成図である。
【図２】図１における画像読影端末の一具体例を示すブロック図である。
【図３】図２におけるモニタで表示される医療画像表示用画面の一具体例を示す図である。
【図４】図３における検索画面の一具体例を示す図である。
【図５】図３における画像表示画面５０の一具体例を示す図である。
【図６】図５に示す画像表示画面５０での画面表示エリアのスタディシリーズ情報バーがクリックされることによって表示されるプルダウンメニューを示す図である。
【図６（ａ）】図６に示すプルダウンメニューでの選択操作によって表示される画像表示画面５０の一具体例を示す図である。
【図７（ａ）】検索画面４０に重なって表示されるヒストリーブラウザ６０の一具体例を示す図である。
【図７（ｂ）】画像表示画面５０に重なって表示されるヒストリーブラウザ６０の一具体例を示す図である。
【図８（ａ）】図７（ａ）に示すヒストリーブラウザ６０で検索ボタン６４が操作させることによって表示されるヒストリーブラウザ６０ａの一具体例を示す図である。
【図８（ｂ）】図７（ｂ）に示すヒストリーブラウザ６０で検索ボタン６４が操作させることによって表示されるヒストリーブラウザ６０ａの一具体例を示す図である。
【発明を実施するための形態】
【００２２】
次に、本発明の実施形態について図面を用いて説明する。
【００２３】
図１は本発明による医療情報の表示方法及び装置の一実施形態を示すシステム構成図であって、１はモダリティ（医用画像診断装置）、２は画像サーバ、３は画像読影端末（画像ワークステーション）、４は画像参照端末、５はネットワークである。
【００２４】
同図において、この実施形態は、検像された医用画像を読影医師が読影のために閲覧できるようにしたものであって、レントゲンなどのＸ線撮影装置やＣＴ，ＭＲＩなどの患者の所定部位を撮影して撮影医療画像を作成するモダリティ１と、モダリティ１で作成された撮影医療画像を保管・管理する画像サーバ２と、読影医師の読影のために閲覧可能に医療画像を表示する画像読影端末３と、ナースステーションなどに設置されて、医師や技師などが医療画像を閲覧できるようにした画像参照端末４などがネットワーク５を介して相互に接続された構成をなしている。
【００２５】
モダリティ１で得られた患者の所定部位の撮影医療画像は、医療画像情報として、ネットワーク５を介して画像サーバ２に転送され、被検者毎に区分されて、被検者の属性情報，検査日時，使用モダリティなどの検査に関連する情報とともに、閲覧可能な医療情報（閲覧医療情報）として格納・保存される。そして、ここでは、図示しないが、この画像サーバ２に格納された閲覧医療情報の医療画像、あるいは、モダリティ１で得られた医療画像は、検像端末により、医師が読影できるように修正・加工され、画像サーバ２に格納され、閲覧医療情報として保管・管理される。
【００２６】
ここで、同じ被検者の同じ日に同じモダリティで行なわれた一連の検査に関する情報は、その検査結果である医療画像情報と関連付けられて、同じスタディ（所謂、フォルダ）にまとめられて管理される。従って、かかるスタディに対しては、被検者属性情報，検査日時，使用モダリティ（検査種別）などの検査に関連する情報が、スタディ関連情報として、設定されている。
【００２７】
画像ワークステーションとしての画像読影端末（画像ビューア）３は、読影医師の操作により、画像サーバ２から必要な閲覧医療情報を検索して取得し、その医療画像情報やスタディ関連情報によるその検査に関する情報をモニタ１６（図２）に表示する。読影医師は、表示されたその医療画像情報などを閲覧して、その読影を行なう。
【００２８】
画像参照端末４は、例えば、ナースステーションなどに設置されており、医師や技師などが検査結果を参照するために用いられるものであって、画像読影端末と同様の医療画像情報などが表示される。
【００２９】
図２は図１における画像読影端末３の一具体例を示すブロック図であって、１０はＣＰＵ（中央処理ユニット）、１１は主メモリ、１２は記憶装置、１３は通信制御部、１４は表示部、１５は表示メモリ、１６はモニタ、１７はコントローラ、１８はマウス、１９はキーボード、２０はスピーカ、２１は内部バスである。
【００３０】
同図において、各部を制御するＣＰＵ１０と、ＣＰＵ１０が全体の制御を実行するための制御プログラムや画面表示などのための各種アプリケーションプログラムが格納された主メモリ１１と、表示部１４で表示される画面のレイアウトやこのレイアウトに付加される画像サーバ２からの医療画像情報やスタディ関連情報からなる閲覧医療情報を格納する記録装置１２と、ネットワーク５（図１）に接続されて通信制御を行なう通信制御部１３と、表示する閲覧医療情報を一時記憶する表示メモリ１５とこの表示メモリ１５に格納されている閲覧医療情報を用いて画像表示を行なうモニタ１６とからなる表示部１４と、モニタ１６の表示画面の操作などをするためのコントローラ１７及びマウス１８と、各種パラメータ設定用の操作キーや操作スイッチを備えたキーボード１９と、スピーカ２０とを備え、これらが内部バス２１を介して相互に接続されている。
【００３１】
なお、ここでは、表示部１５の表示画面の操作は、マウス１８による操作やキーボード１９の入力操作により、行なわれるものとするが、この表示部１５の表示画面にタッチパネルを設け、タッチ操作によって行なわれるようにしてもよい。また、記録装置１２としては、磁気ディスクや光ディスク，光磁気ディスクなどが用いられる。
【００３２】
マウス１８やキーボード１９の操作により、画像サーバ２（図１）に閲覧医療情報を要求すると、この要求信号は通信制御部１３からネットワーク５（図１）を介して画像サーバ２（図１）に送信され、この要求に応じて画像サーバ２から提供される閲覧医療情報が、その該当するスタディ情報とともに、ネットワーク５を介して送出される。
【００３３】
画像読影端末３では、この閲覧医療情報が通信制御部１２で受信され、記録装置１２に記録される。そして、主メモリ１１の所定のアプリケーションプログラムを実行するＣＰＵ１０の制御のもとに、記録装置１２からこの記録装置１２にに記録されている閲覧医療情報のうちの必要な閲覧医療情報とこれに該当する画面のレイアウトが読み出され、これら閲覧医療情報の医療画像情報やスタディ関連情報とレイアウトとから医療情報表示用画面が作成されて、表示部１４において、表示メモリ１４に一旦格納される。医療情報表示用画面を構成する一画面分の情報が書き込まれると、この医療情報表示用画面が表示メモリ１４から読み出され、モニタ１６に表示される。
【００３４】
読影医師がマウス１８やキーボード１９を操作してモニタ１６で表示する医療情報表示用画面を指定して要求すると、ＣＰＵ１０の制御のもとに、この要求される医療情報表示用画面に該当する閲覧医療情報の医療画像情報やスタディ関連情報とレイアウトが記録装置１２から読み出され、これらから閲覧医療表示用画面が作成されて表示部１４に供給される。これにより、読影医師が要求する閲覧医療表示用画面が表示部１４のモニタ１６に表示される。
【００３５】
ここで、モニタ１６に表示される閲覧医療表示用画面は、検索画面と、この検索画面での検索操作（ここでは、マウス１８によるカーソル操作）による画像表示画面、及びヒストリーブラウザとからなるものである。
【００３６】
図３はかかる閲覧医療表示用画面の表示状態の一具体例を示す図であって、３０はモニタ画面、３１は余白部、４０は検索画面、５０は画像表示画面、６０はヒストリーブラウザである。
【００３７】
なお、ここでは、１つのモニタ画面で２画面表示するものとするが、２つのモニタを用いて夫々に１画面ずつ表示するようにしてもよい。
【００３８】
図３（ａ）は閲覧医療表示用画面の表示開始で表示されるログイン画面を示すものである。ここでは、モニタ画面３０は二画面表示を行なうものであって、このログイン画面では、その左右１／２ずつの表示エリアの一方、ここでは、左側の表示エリアに検索画面４０が表示され、右側の表示エリアは余白部３１となっている。検索画面４０では、各被検者について、その検査日及びモダリティ毎に検査結果を夫々１つずつのフォルダにまとめたものをスタディとして、かかる被検者及び検査日毎のスタディのリストが表示されており、かかるリストでのスタディが検索対象となる。
【００３９】
マウス１８（図１）によるカーソル操作によってかかるログイン画面での検索画面４０で所望のスタディが指定され、その医療画像情報について検索指示（表示の要求）操作が行なわれると、図３（ｂ）に示すように、このモニタ画面３０の余白部３１にそのシリーズとしての画像表示画面５０が表示される。なお、この検索指示（表示の要求）操作としては、マウス１８によるダブルクリックと検索画面４０に設けられる画像表示画面５０の要求ボタン（例えば、図４での画像表示ボタン４３）のクリック操作とがある。このときには、検索画面４０と画像表示画面５０とが２画面表示で同時に表示される。また、この検索画面４０と画像表示画面５０との２画面表示状態にあるとき、この画像表示画面５０でヒストリーブラウザ６０の表示が指定されると、図３（ｃ）に示すように、これまで表示されていた画像表示画面５０に重なってヒストリーブラウザ６０が表示され、検索画面４０とヒストリーブラウザ６０との２画面表示がなされる。このヒストリーブラウザ６０で画像表示画面の表示が指定されると、ヒストリーブラウザ６０の表示が終了し、図３（ｂ）に示すように、画像表示画面５０が現われて検索画面４０と画像表示画面５０とが２画面表示状態となる。
【００４０】
また、図３（ａ）に示す検索画面４０のみが表示されている状態では、この検索画面４０において、画像表示画面５０とヒストリーブラウザ６０との表示を同時に指定することができ、この場合には、図３（ｄ）に示すように、図３（ｂ）に示す状態で検索画面４０にヒストリーブラウザ６０が重なった表示状態となり、このヒストリーブラウザ６０と画像表示画面５０との２画面表示状態となる。
【００４１】
なお、図３（ａ）に示す検索画面４０のみが表示されている状態では、ヒストリーブラウザ６０の表示を指定することができる。この場合には、図３（ｃ）に示すように、図３（ｂ）に示す表示状態で画像表示画面５０にヒストリーブラウザ６０が重なって表示される状態となる。従って、ヒストリーブラウザ６０で画像表示画面５０の表示が指定されると、このヒストリーブラウザ６０の表示が終了して図３（ｂ）に示す検索画面４０と画像表示画面５０とが２画面表示状態となる。
【００４２】
また、図３（ｃ）に示す２画面表示の状態でヒストリーブラウザ６０を検索画面４０側に移動（ドラッグ アンド ドロップ）させ、図３（ｄ）に示すヒストリーブラウザ６０と画像表示画面５０との２画面表示状態とすることもできる。この場合に、ヒストリーブラウザ６０で画像表示画面５０の表示を指示すると、ヒストリーブラウザ６０の表示が終了して、図３（ｂ）に示す２画面表示状態となるし、画像表示画面５０でヒストリーブラウザ６０の表示を指示すると、ヒストリーブラウザ６０が画像表示画面５０に重なって表示される図３（ｃ）に示す２画面表示状態となる。
【００４３】
また、検索画面４０や画像表示画面５０，ヒストリーブラウザ６０には、通常のウィンドウと同様に、その右上角部に「閉じる」ボタンが設けられており、これをクリック操作すると、これが操作された画面の表示が終了する。
【００４４】
なお、以上は２画面表示の場合であったが、３画面またはそれ以上の画面表示とすることができる。但し、３画面以上の画面表示の場合には、ログイン画面としては、図３（ａ）に示すように、検索画面４０が表示され、そこでの所望のスタディが指定されて、その医療画像情報の要求操作（上記のクリック操作や要求ボタンの操作）が行なわれると、図３（ｂ）に示すように、検索画面４０とともに画像表示画面５０が表示される。そして、この画像表示画面５０でヒストリーブラウザ６０の表示を要求すると、さらに、ヒストリーブラウザ６０が表示され、検索画面４０と画像表示画面５０とヒストリーブラウザ６０との３画面またはそれ以上の画面表示状態となる。勿論、医療画像情報とヒストリーブラウザとの要求操作を行なっても、同様の３画面またはそれ以上の画面表示状態となる。ここで、この３画面またはそれ以上の画面表示状態でヒストリーブラウザ６０の消去操作が行なわれると、このヒストリーブラウザ６０の表示だけが終了するが、医療画像画面５０の消去操作が行なわれると、この医療画像画面５０とともに、ヒストリーブラウザ６０の表示が終了する。
【００４５】
但し、以下では、図３に示す２画面表示をもとに説明する。
【００４６】
図４は図３における検索画面４０の一具体例を示す図であって、４１は被検者指定欄、４１ａは被検者番号入力欄、４１ｂは被検者名入力欄、４２は検索ボタン、４３は「画像表示画面」指定ボタン、４４は「ヒストリーブラウザ」指定ボタン、４５は検査情報リスト欄、４６ａ，４６ｂ，４６ｃ，……は検査情報、４７はカーソルである。
【００４７】
同図において、検索画面４０では、被検者を指定するための被検者指定欄４１と、検査情報のリストが表示される検査情報リスト４５と、画像表示画面５０の表示を指定するための「画像表示画面」指定ボタン４３と、ヒストリーブラウザ６０の表示を指定するための「ヒストリーブラウザ」指定ボタン４４とが設けられている。
【００４８】
検査情報リスト４５では、デフォルトとして、検査した日時順に全ての被検者の全ての検査の検査情報４６ａ，４６ｂ，４６ｃ，……が縦方向に配列されたリストが表示されており、最新の検査日の検査情報４６（シリーズ４６ａ，４６ｂ，４６ｃ，……の総称）が最上位に表示されている。かかる検査情報４６は、図示するように、被検者名，被検者ＩＤ，使用された全てのモデリティ，検査日などの情報からなるものである。
【００４９】
かかる検査情報リスト４５では、いずれか１つの検査情報４６がカーソル４７で選択されている状態にあり、この検索画面４０が表示開始されたデフォルトの状態では、カーソル４７は最上位にある検査情報４６、この場合では、検査情報４６ａを選択した状態にある。マウス１８やキーボード１９（図１）の移動操作によってこのカーソル４７を縦方向に移動させることができ、これにより、任意の検査情報４６をこのカーソル４７で選択することができる。
【００５０】
なお、検査情報リスト４５でカーソル４７によって選択されている検査情報４６（ここでは、シリーズ４６ａ）に対しては、この選択されている検査情報４６での検査毎の情報、即ち、検査情報４６のリスト（シリーズリスト）を表示するようにしてもよい。かかる検査情報４６は、この検査で使用されたモダリティやシリーズ番号，この検査で得られた医療画像の枚数，フリーカテゴリなどからなるものであり、検査時刻が早い順に配列されている。また、かかる検査情報リストからいずれか１つの検査情報４６がカーソル４７で選択された状態にあり、この選択された検査情報４６の検査結果である医療画像も表示されるようにしてもよい。
【００５１】
被検者指定欄４１は、検査情報リスト４５で表示される検査情報４６を希望する被検者のものに制限するためのものであって、指定された被検者を条件として、デフォルトの検査情報４６のリストの中から指定された被検者の検査情報４６が選択されて検査情報リスト４５に表示される。ここで、被検者指定欄４１には、被検者を指定する情報を入力する被検者番号入力欄４１ａと被検者名入力欄４１ｂとが設けられており、また、指定された被検者に対して検査情報の検索を行なわせる検索ボタン４２も設けられている。
【００５２】
そこで、被検者指定欄４１の被検者番号入力欄４１ａと被検者名入力欄４１ｂで被検者が指定されて、検索ボタン４２が選択されると、検査情報リスト４５では、この指定された被検者に該当する検査情報４６が表示された状態となる。
【００５３】
検索画面４０において、検査日入力欄やモダリティ入力欄４１ｃ，キーワード入力欄４１ｄなどの他の入力欄を設け、検査日やモダリティ名，キーワードなどを入力して検索ボタン４２を選択することにより、かかる入力情報に該当する検査情報４６が検査情報リスト４５に表示されるようにすることもできる。
【００５４】
なお、ここでは、図示しないが、入力クリアボタンを設け、これを選択することにより、各入力欄に入力された情報をクリアし、再度の入力を可能とすることができる。
【００５５】
また、「画像表示画面」指定ボタン４３が選択されると、この検索画面４０とともに、この検索画面４０の検査情報リスト４５でカーソル４７で選択されている検査情報４６に該当する後述の図５に示す画像表示画面５０が表示されて、これら検索画面４０と画像表示画面５０とが表示された図３（ｂ）に示した２画面表示の状態となる。これに対し、「ヒストリーブラウザ」指定ボタン４４が選択されると、この検索画面４０とともに、画像表示画面５０に重なって後述の図７（ｂ）に示すヒストリーブラウザ６０が表示され、これら検索画面４０とヒストリーブラウザ６０とが表示される図３（ｃ）に示す２画面表示の状態となる。
【００５６】
なお、「ヒストリーブラウザ」指定ボタン４４も、また、「画像表示画面」指定ボタン４３も選択されていない状態で検索画面４０の検査情報リスト４５でカーソル４７で選択されている検査情報４６の表示位置をマウス１８でダブルクリックすると、この選択されている検査情報４６に対するに該当する図５に示す画像表示画面５０が検索画面４０とともに表示されて、これら検索画面４０と画像表示画面５０とが表示される図３（ｂ）に示す２画面表示の状態となる。
【００５７】
図５は図３における画像表示画面５０の一具体例を示す図であって、５１ａ，５１ｂ，５１ｃ，５１ｄは画像表示エリア、５２ａ，５２ｂ，５２ｃ，５２ｄはスタディシリーズ情報バー、５３ａ，５３ｂ，５３ｃ，５３ｄは月型マーク、５４は被検者欄である。
【００５８】
同図において、画像表示画面５０には、例えば、４個の画像表示エリア５１ａ，５１ｂ，５１ｃ，５１ｄが設けられ、これらに夫々画像サーバ２から提供された閲覧医療情報によるモダリティの検査結果である医療画像が表示される。この選択された検査情報４６の被検者名などの被検者情報が被検者欄５４に表示される。従って、画像表示エリア５１ａ，５１ｂ，５１ｃ，５１ｄには、被検者欄５４に表示される被検者の医療画像が表示されることになる。
【００５９】
また、これら夫々の画像表示エリア５１ａ，５１ｂ，５１ｃ，５１ｄ（なお、以下では、これら画像表示エリア５１ａ，５１ｂ，５１ｃ，５１ｄを総称するときには、画像表示エリア５１という）には、検査日などの付属情報がテキストで表示されたスタディシリーズ情報バー５２ａ，５２ｂ，５２ｃ，５２ｄが設けられている（なお、以下では、これらスタディシリーズ情報バー５２ａ，５２ｂ，５２ｃ，５２ｄを総称するときには、スタディシリーズ情報バー５２という）。スタディシリーズ情報バー５２のいずれかがマウス１８の操作で選択されると、図６に示すように、この選択されたスタディシリーズ情報バー５２に対するプルダウンメニュー５５が表示される。このプルダウンメニュー５５には、検索画面４０（図４）の検査情報リスト４５でカーソル４７により選択された検査情報４６での被検者のスタディのリストが表示されており、かかるスタディのいずれかを選択することにより、図６（ａ）に示すように、このスタディに該当する閲覧医療情報の医療画像がこのスタディシリーズ情報バー５２が選択された画像表示エリア５１に表示される。これとともに、このスタディシリーズ情報バー５２には、このプルダウンメニュー５５で選択された検査情報の検査日時などが表示され、この画像表示エリア５１に表示される医療画像の検査日などが明示される。
【００６０】
なお、この画像表示画面５０には、「ヒストリーブラウザ」指定ボタン４４が表示され、この「ヒストリーブラウザ」指定ボタン４４がカーソルで選択されてクリックされると、図３（ｃ）に示すように、この画像表示画面５０に重なってヒストリーブラウザ６０が開かれて表示される。また、図３（ｂ）に示す２画面表示の状態でこの画像表示画面５０の右上角部にパソコンの通常のウインドウと同様の図示しない「閉じる」ボタンが設けられている、この「閉じる」ボタンが操作されると、この画像表示画面５０の表示が終了して図３（ａ）に示すログイン画面の表示状態となる。さらに、図３（ｄ）に示す２画面表示の状態でこの画像表示画面５０の上記の「閉じる」ボタンが操作されると、この画像表示画面５０とヒストリーブラウザ６０との表示が終了して図３（ａ）に示すログイン画面の表示状態となる。
【００６１】
図４に示す検索画面４０において、検査情報リスト４５でいずれかの検査情報４６がカーソル４７で選択された状態でダブルクリックされると、あるいはまた、「画像表示画面」指定ボタン４３がクリックされると、図５に示す画像表示画面５０が図３（ｂ）に示すように表示されるが、この画像表示画面５０のデフォルトでは、全ての画像表示エリア５１、即ち、全ての画像表示エリア５１ａ〜５１ｄに、このとき、検索画面４０の検査情報リスト４５で選択された検査情報４６を基準検査情報とし、この基準検査情報の検査日を基準日として、この同じ基準検査情報の医療画像が表示される。従って、これらの画像表示エリア５１ａ〜５１ｄのスタディシリーズ情報バー５２ａ〜５２ｄには、この基準日（あるいは、基準日時）が表示される。
【００６２】
図５に示す画像表示画面５０では、そのデフォルトとしては、画像表示エリア５１ａ〜５１ｄに、例えば、基準日時が「２００９年０１月０１日」の医療画像が表示されたものとする。
【００６３】
かかるデフォルトの表示状態で、例えば、画像表示エリア５１ｂのスタディシリーズ情報バー５２ｂを選択してクリックし、これによって図６に示すように表示されるプルダウンメニュー５５で所定の検査情報を選択してクリックすると、この検査情報での検査結果である医療画像がこの画像表示エリア５１ｂに表示される。これとともに、この画像表示エリア５１ｂのスタディシリーズ情報バー５２ｂには、例えば、テキスト「２００８年０１月０１日」が表示される。同様の操作により、図６（ａ）において、画像表示エリア５１ｃでは、検査日時が「２００７年０１月０１日」での検査情報が選択されることにより、この検査日時での検査結果である医療画像が表示されことになる。さらには、画像表示エリア５１ｄでは、検査日時が「２００８年０１月０１日」で検査情報が選択されることにより、この検査日時での検査結果である医療画像が表示されことになる。ここでは、画像表示エリア５１ｂ〜５１ｄでは、基準日前の検査日の医療画像が表示されている。なお、基準日後の医療画像も、同様にして表示させることができる。
【００６４】
このようにして、画像表示画面では、基準日時の医療画像とともに、その基準日時よりも前の検査日時の医療画像や基準日時よりも後の検査日時の医療画像を同時に表示させることにより、症状の経過を容易に判断することが可能となる。
【００６５】
また、各画像表示エリア５１のスタディシリーズ情報バー５２には、月の満ち欠けの度合いによって基準日からの当該日にちの時間的な間隔を表わすマーク（月型マーク）５３ａ〜５３ｄが付されている。そして、図６（ａ）に示すように、基準日時に対する画像表示エリア５１ａのスタディシリーズ情報バー５２ａには、満月型の月型マーク５３ａが付されており、この基準日時より前の検査日の画像表示エリア５１ｂ，５１ｄのスタディシリーズ情報バー５２ｂ，５２ｄには、一部が欠けた月型マーク５３ｂ，５３ｄが付され、検査日がこの画像表示エリア５１ｂよりもさらに前の検査日の画像表示エリア５１ｃのスタディシリーズ情報バー５２ｃには、さらに欠けた部分が大きい月型マーク５３ｃが付されている。
【００６６】
各画像表示エリア５１のスタディシリーズ情報バー５２には夫々、検査日がテキストで表示され、これにより、表示される医療画像が得られた検査日を知ることができるが、上記のように、各画像表示エリア５１のスタディシリーズ情報バー５２に、基準日に対して月が欠けた状態で示され、この基準日よりも前の検査日に応じてその欠け具合が異なる月型マーク５３（月型マーク５３ａ〜５３ｄの総称）を付加することにより、表示される医療画像の検査日の相対的な時間軸の方向が一目で認識することができ、症状の時間的な変化を容易に、かつ確実に認識することが可能となる。
【００６７】
図７（ａ），（ｂ）はヒストリーブラウザ６０の一具体例を示す図であって、６１は検査情報リスト、６２は検査情報、６３はカーソル、６４は検索ボタンであり、前出図面に対応する部分には同一符号をつけて重複する説明を省略する。
【００６８】
なお、図７（ａ）は、図３（ｄ）に示すように、検索画面４０に重なって表示されるヒストリーブラウザ６０を示すものであり、図７（ｂ）は、図３（ｃ）に示すように、画像表示画面５０に重なって表示されるヒストリーブラウザ６０を示すものであって、以下では、図７（ａ）について説明するが、図７（ｂ）についても同様である。
【００６９】
図７（ａ）において、図示するヒストリーブラウザ６０は、デフォルトの表示状態を示すものであって、検査情報リスト６１と「画像表示画面」指定ボタン４３と検索ボタン６４とが設けられている。
【００７０】
検査情報リスト６１では、被検者名と検査に使用されたモダリティと検査日などからなる検査情報６２のリストが表示されるものである。これら検査情報６２は、図４に示す検索画面４０の検査情報リスト４５で選択決定された検査情報４６における被検者の検査情報であり、この選択された検査情報４６を基準日の検査情報とした一連の検査日の検査情報であって、この被検者の検査の経歴が表示される。より具体的には、ヒストリーブラウザ６０の表示開始のデフォルトでは、図４に示す検索画面４０の検査情報リスト４５で選択決定された検査情報４６の被検者の検査日を基準日とし、この被検者の検査情報６２が検査日順に配列されて表示されるものであり、基準日とする検査情報６２には、満月型の月型マーク５３が付されている。また、検査情報リスト６１では、検査情報６２のいずれか１つがカーソル６３で選択された状態にあり、デフォルトでは、月型マーク５３が付された基準日の検査情報がカーソル６３で選択されている。このカーソル６３は、マウス１８やキーボード１９（図２）の操作により、上下に移動可能であり、これにより、任意の検査情報６２を選択することができる。
【００７１】
また、「画像表示画面」指定ボタン４３が選択操作されると、このヒストリーブラウザ６０の表示が終わり、検索画面４０が表示されることになる。
【００７２】
検索ボタン６４が操作されると、カーソル６３で選択されている検査情報６２の詳細を示すヒストリーブラウザ６０ａの表示に切り替えられる。
【００７３】
図８（ａ），（ｂ）はかかるヒストリーブラウザ６０ａの一具体例を示す図であって、６５はスタディリスト欄、６６はレポート欄、６７は医療画像、６８は所見であり、前出図面に対応する部分には同一符号をつけて重複する説明を省略する。
【００７４】
なお、図８（ａ）は図７（ａ）に示すヒストリーブラウザ６０で検索ボタン６０が操作されたときに表示されるヒストリーブラウザ６０ａを示すものであり、図８（ｂ）は図７（ｂ）に示すヒストリーブラウザ６０で検索ボタン６０が操作されたときに表示されるヒストリーブラウザ６０ａを示すものであて、以下では、図８（ａ）について説明するが、図８（ｂ）についても同様である。
【００７５】
図８（ａ）において、このヒストリーブラウザ６０ａでは、図７（ａ）に示すヒストリーブラウザ６０でのほぼ下半分のエリアに、シリーズリスト欄６５とレポート欄６６とが横方向に配列されて表示される。
【００７６】
シリーズリスト欄６５では、検査情報リスト６１においてカーソル６３によって選択された検査情報６２に含まれる一連の医療情報のフォルダとしてのシリーズのリストが表示される。ここで表示されるシリーズは、その検査情報に関してサーバ２（図１）に画像保存されている医療情報（使用したモダリティや検査結果、所見など）をまとめたフォルダに相当するものであって、この検査日に得られた全てのシリーズがシリーズリスト欄６５で同時に表示される。従って、検査情報リスト６１で選択される検査情報が変更されると、シリーズリスト欄６５で表示されるシリーズも変更する。
【００７７】
また、レポート欄６６では、検査情報リスト６１でカーソル６３によって選択された検査情報６２に対する検査結果としての医療画像６７とその検査での所見６８とが表示される。従って、検査情報リスト６１で選択される検査情報６２が変更されると、レポート欄６６で表示される医療画像６７や所見６８も変更される。また、キーボード１９（図２）で所見が入力されると、それがレポート欄６６に表示されるとともに、画像サーバ２（図２）にも送信されて保存され、次回の閲覧では、その所見がレポート欄６６で表示される。
【００７８】
このようにして、ヒストリーブラウザ６０では、検索画面４０（図４）で検索された検査情報に該当する被検者の検査情報の一覧が時間経過に沿って表示されることになり、これにより、この被検者の検査経過を確認することができる。また、かかる検査経過での夫々の検査日での医療画像や所見をレポート欄６６で表示させることができるものであって、読影医師が適宜決めた検査の基準日に対して所定の期間前、あるいは後の検査日の検査結果（医療画像や所見）を容易に確認することができる。
【００７９】
なお、ここで、図３（ｃ）に示すように、ヒストリーブラウザ６０が画像表示画面５０上に重なって表示されているときには、このヒストリーブラウザ６０，６０ａに「画像表示画面」指定ボタン４３が設けられており、マウス１８でこの「画像表示画面」指定ボタン４３の選択操作がなされると、図５に示す画像表示画面５０が表示された図３（ｂ）に示す表示状態に変更される。また、図３（ｄ）に示されるように、ヒストリーブラウザ６０が画像表示画面５０と２画面表示されているときにも、このヒストリーブラウザ６０に「画像表示画面」指定ボタン４３が設けられており、マウス１８でこの「画像表示画面」指定ボタン４３の選択操作がなされると、このヒストリーブラウザ６０の表示が終了して、この場合も、図３（ｂ）に示す２画面の表示状態に変更される。なお、ヒストリーブラウザ６０の右上角部に設けられた、パソコンの通常のウインドウと同様の「閉じる」ボタン（図示せず）が操作されても、同様である。
【００８０】
このようにして、ヒストリーブラウザ６０が必要なくなってその表示を終了しても、画像表示画面５０が残って表示された状態となり、画像表示画面５０を表示させるための操作をすることなく、この画像表示画面５０を用いることができる。従って、この画像表示画面５０で、ヒストリーブラウザ６０で選択した被検者の検査に対し、その検査結果である医療画像について、あるいは症状の経過などを直ちに確認することが可能となる。
【符号の説明】
【００８１】
１  モダリティ
２  画像サーバ
３  画像読影端末
４  画像参照端末
５  ネットワーク
１０  ＣＰＵ
１１  主メモリ
１２  記憶装置
１３  通信制御部
１４  表示部
１５  表示メモリ
１６  モニタ
１７  コントローラ
１８  マウス
１９  キーボード
２０  スピーカ
２１  内部バス
３０  モニタ画面
３１  余白部
４０  検索画面
４１  被検者指定欄
４１ａ  被検者番号入力欄
４１ｂ  被検者名入力欄
４２  検索ボタン
４３  「画像表示画面」指定ボタン
４４  「ヒストリーブラウザ」指定ボタン
４５  検査情報リスト欄
４６ａ，４６ｂ，４６ｃ，……  検査情報
４７  カーソル
５０  画像表示画面
５１ａ，５１ｂ，５１ｃ，５１ｄ  画像表示エリア
５２ａ，５２ｂ，５２ｃ，５２ｄ  スタディシリーズ情報バー
５３ａ，５３ｂ，５３ｃ，５３ｄ  月型マーク
５４  被検者欄
５５  プルダウンメニュー
６０，６０ａ  ヒストリーブラウザ
６１  検査情報リスト
６２  検査情報
６３  カーソル
６４  検索ボタン
６５  シリーズリスト欄
６６  レポート欄
６７  医療画像
６８  所見
【図１】
2010233882.tif 000003
【図２】
2010233882.tif 000004
【図３】
2010233882.tif 000005
【図４】
2010233882.tif 000006
【図５】
2010233882.tif 000007
【図６】
2010233882.tif 000008
【図６（ａ）】
2010233882.tif 000009
【図７（ａ）】
2010233882.tif 000010
【図７（ｂ）】
2010233882.tif 000011
【図８（ａ）】
2010233882.tif 000012
【図８（ｂ）】
2010233882.tif 000013